(57)【要約】【課題】硬質の材料と軟質の材料とで構成されたマットレスを収容するマットレスカバーの突っ張り感を抑えてマットレスの本来の使用感を発揮させることができる寝具を提供する。【解決手段】寝具１００は、マットレス１１０とマットレスカバー１２０とを備えて構成されている。マットレス１１０は、第１硬質弾性支持体１１１、第２硬質弾性支持体１１３および軟質弾性支持体１１５を備えている。軟質弾性支持体１１５は、使用者Ｕの肩部および上腕部を支持する位置に第１硬質弾性支持体１１１および第２硬質弾性支持体１１３よりも軟質な弾性体で構成されている。マットレスカバー１２０は、軟質弾性支持体１１５を覆う軟質覆い部１２１と第１硬質弾性支持体１１１および第２硬質弾性支持体１１３を覆う硬質覆い部１２２とで構成されている。軟質覆い部１２１は、硬質覆い部１２２よりも伸縮性に富む生地で構成されている。【選択図】  図２
2019103731.tif 000002
【特許請求の範囲】
【請求項１】
就寝する人を下方から支持するマットレスと、
前記マットレスを収容する袋状のマットレスカバーとを備え、
前記マットレスは、
前記就寝する人の身体の一部を弾性的に支持する硬質弾性支持体と、
前記就寝する人の身体の他の一部を弾性的に支持しつつ前記硬質弾性支持体よりも軟質な軟質弾性支持体とを有し、
前記マットレスカバーは、
前記軟質弾性支持体の上面を覆う軟質覆い部が同軟質覆い部の周囲を構成する生地よりも伸縮性に富む生地で構成されていることを特徴とする寝具。
【請求項２】
請求項１に記載した寝具において、
前記軟質弾性支持体は、
上面が前記硬質弾性支持体の上面よりも突出していることを特徴とする寝具。
【請求項３】
請求項１または請求項２に記載した寝具において、
前記マットレスカバーは、
前記軟質覆い部に対して前記軟質弾性支持体を介して対向する下面側の生地と前記軟質覆い部とを互いに連結する連結体を備えることを特徴とする寝具。
【請求項４】
請求項１ないし請求項３のうちのいずれか１つに記載した寝具において、
前記軟質弾性支持体は、
前記就寝する人の肩部に対向する部分に設けられていることを特徴とする寝具。
【請求項５】
請求項１ないし請求項４のうちのいずれか１つに記載した寝具において、
前記軟質覆い部は、
同軟質覆い部の周囲を構成する生地とは異なる外観に形成されていることを特徴とする寝具。
【発明の詳細な説明】
【技術分野】
【０００１】
本発明は、就寝する人を支持するマットレスがマットレスカバー内に収容された寝具に関する。
【背景技術】
【０００２】
従来から、就寝時などに臥位となる人の下に敷かれてこの人を支持するマットレスを備えた寝具がある。例えば、下記特許文献１には、臥位の人の身体における肩上腕部、臀部および脚部がそれぞれ支持する凹部用芯材が身体における他の部分を支持する芯材本体よりも柔らかい素材で構成されたマットレスが開示されている。この場合、マットレスは、通気性の生地のカバーを被せて使用に供される。
【先行技術文献】
【特許文献】
【０００３】
【特許文献１】特開２００７−１３６０４９号公報
【０００４】
しかしながら、上記特許文献１に記載されたマットレスにおいては、マットレスに被せられるカバーはカバー全体が単一の生地で形成されて均質な伸縮性で構成されているため、凹部用芯材が圧縮変形する際に突っ張った感じを受けるとともにこの突っ張りによって凹部用芯材の沈み込みが阻害されて本来の使用感が損なわれるという問題があった。
【発明の概要】
【０００５】
本発明は上記問題に対処するためなされたもので、その目的は、硬質の材料と軟質の材料とで構成されたマットレスを収容するマットレスカバーの突っ張り感を抑えてマットレスの本来の使用感を発揮させることができる寝具を提供することにある。
【０００６】
上記目的を達成するため、本発明の特徴は、就寝する人を下方から支持するマットレスと、マットレスを収容する袋状のマットレスカバーとを備え、マットレスは、就寝する人の身体の一部を弾性的に支持する硬質弾性支持体と、就寝する人の身体の他の一部を弾性的に支持しつつ硬質弾性支持体よりも軟質な軟質弾性支持体とを有し、マットレスカバーは、軟質弾性支持体の上面を覆う軟質覆い部が同軟質覆い部の周囲を構成する生地よりも伸縮性に富む生地で構成されていることにある。
【０００７】
この場合、軟質覆い部は、同軟質覆い部の周囲の生地に対して生地自体が伸縮性を有しているほかに、生地自体の伸縮性が同じであっても伸縮性を有するように構成、例えば、タック、ギャザーまたはいせ込みなどの手法で折り重ねられたヒダ状に形成されている場合を含む。また、伸縮性は、生地に引張り力を付与した際の弾性的な伸び易さを示しており、ＪＩＳ規格における織物及び編物の生地試験方法（Ａ法〜Ｄ法）で表すことができる。例えば、伸縮性を表す伸び率（％）は、所定の長さの生地に所定の間隔（Ｌ０）の２つの印を付けた後、同生地に所定の引張り荷重を付与して前記２つの印の間隔（Ｌ１）を測定して下記数１で求めることができる。
（数１）
伸び率（％）＝｛（Ｌ１−Ｌ０）／Ｌ０｝×１００
【０００８】
このように構成した本発明の特徴によれば、寝具は、マットレスにおける軟質弾性支持体の上面を覆うマットレスカバーの軟質覆い部が同軟質覆い部の周囲を構成する生地よりも伸縮性に富む生地で構成されているため、軟質弾性支持体上に身体の一部を載せた際に軟質覆い部が伸長することでマットレスカバーの突っ張り感を抑えてマットレスの本来の使用感を発揮させることができる。
【０００９】
また、本発明の他の特徴は、前記寝具において、軟質弾性支持体は、上面が硬質弾性支持体の上面よりも突出していることにある。
【００１０】
このように構成した本発明の他の特徴によれば、寝具は、軟質弾性支持体における就寝者の身体を載せる上面が硬質弾性支持体の上面よりも突出しているため、マットレスカバーにおける軟質覆い部を突っ張らせて軟質弾性支持体からの位置ずれを抑制することができる。また、寝具は、軟質弾性支持体に身体の一部が載せられて軟質弾性支持体が圧縮変形した場合に硬質弾性支持体との高低差（段差）を少なくしてマットレスカバーの突っ張り感をより抑えることができる。
【００１１】
また、本発明の他の特徴は、前記寝具において、マットレスカバーは、軟質覆い部に対して軟質弾性支持体を介して対向する下面側の生地と軟質覆い部とを互いに連結する連結体を備えることにある。
【００１２】
このように構成した本発明の他の特徴によれば、寝具は、マットレスカバーが軟質覆い部と同軟質覆い部に対して軟質弾性支持体を介して対向する下面側の生地とを互いに連結する連結体を備えているため、軟質覆い部の位置ずれが規制されていることで就寝者の身体が動いた場合でも軟質覆い部が軟質弾性支持体上から位置がずれることが防止される。
【００１３】
また、本発明の他の特徴は、寝具において、軟質弾性支持体は、就寝する人の肩部に対向する部分に設けられていることにある。
【００１４】
このように構成した本発明の他の特徴によれば、寝具は、軟質弾性支持体が就寝する人の肩部に対向する部分に設けられているため、就寝者に対して就寝時における肩部への負担や突っ張り感を軽減することができる。
【００１５】
また、本発明の他の特徴は、前記寝具において、軟質弾性支持体は、就寝する人の肩部に対向する部分に設けられていることにある。
【００１６】
このように構成した本発明の他の特徴によれば、寝具は、軟質覆い部が同軟質覆い部の周囲を構成する生地とは異なる外観に形成されているため、就寝者が寝具上に寝る際に軟質覆い部および軟質弾性支持体の位置を認識し易くして軟質覆い部および軟質弾性支持体上に身体の一部を配置し易くすることができる。
【図面の簡単な説明】
【００１７】
【図１】本発明の一実施形態に係る寝具の外観構成の概略を示す斜視図である。
【図２】図１に示した寝具の内部構成の概略を模式的に示す断面図である。
【図３】図２に示した寝具における軟質弾性支持体および軟質覆い部の構成をより詳しく示した要部拡大図である。
【図４】図２に示した寝具に使用者が臥位の姿勢で載った際の状態の概略を模式的に示す断面図である。
【図５】図２に示した寝具に使用者が横臥の姿勢で載った際の状態を背中側から見た概略を模式的に示す断面図である。
【発明を実施するための形態】
【００１８】
以下、本発明に係る寝具の一実施形態について図面を参照しながら説明する。図１は、本発明に係る寝具１００の外観構成の概略を示す斜視図である。また、図２は、図１に示した寝具１００の内部構成の概略を模式的に示す断面図である。また、図３は、図２に示した寝具１００における軟質弾性支持体１１５および軟質覆い部１２１の構成をより詳しく示した要部拡大図である。この寝具１００は、仰臥または横臥などの臥位の姿勢の使用者Ｕの身体を下方から支持する敷物である。
【００１９】
（寝具１００の構成）
寝具１００は、主として、マットレス１１０およびマットレスカバー１２０を備えて構成されている。マットレス１１０は、臥位の姿勢の使用者Ｕの身体の下に敷かれて使用者Ｕを下方から支持するための部品であり、臥位の姿勢の使用者Ｕよりも平面視で大きな面積の板状体に構成されている。本実施形態においては、マットレス１１０は、使用者Ｕの身長方向である長手方向の長さが２００ｃｍ、同長手方向に直交する幅方向の長さが１００ｃｍの平面視で長方形状に形成されている。このマットレス１１０は、主として、第１硬質弾性支持体１１１、第２硬質弾性支持体１１３および軟質弾性支持体１１５をそれぞれ備えて構成されている。なお、図２においては、寝具１００に対する使用者Ｕの位置関係を示すために使用者Ｕを二点鎖線で寝具１００に重ねて示している。
【００２０】
第１硬質弾性支持体１１１は、臥位の姿勢の使用者Ｕの頭部を支持するための部品であり、合成樹脂材料を発泡させて多孔質の板状に形成して構成されている。この場合、第１硬質弾性支持体１１１は、後述する軟質弾性支持体１１５よりも弾性変形し難い硬質に形成されている。本実施形態においては、第１硬質弾性支持体１１１は、発泡させた硬質ウレタン樹脂を長手方向の長さが３１ｃｍ、幅方向の長さが１００ｃｍ、厚さが３ｃｍの平面視で長方形状に形成して構成されている。この第１硬質弾性支持体１１１は、第１底材１１２によって支持されている。
【００２１】
第１底材１１２は、第１硬質弾性支持体１１１の下に敷かれてこの第１硬質弾性支持体１１１を支持するための部品であり、ポリエステル繊維を板状に薄板状に形成した所謂固綿で構成されている。この第１底材１１２は、長手方向の長さが３１ｃｍ、幅方向の長さが１００ｃｍ、厚さが２ｃｍの平面視で長方形状に形成して構成されている。
【００２２】
第２硬質弾性支持体１１３は、前記第１硬質弾性支持体１１１と同様に、臥位の姿勢の使用者Ｕの腹部から足部までの範囲を支持するための部品であり、合成樹脂材料を発泡させて多孔質の板状に形成して構成されている。この場合、第２硬質弾性支持体１１３は、軟質弾性支持体１１５よりも弾性変形し難い硬質に形成されている。本実施形態においては、第２硬質弾性支持体１１３は、第１硬質弾性支持体１１１と同様に、発泡させた硬質ウレタン樹脂を長手方向の長さが１３６ｃｍ、幅方向の長さが１００ｃｍ、厚さが３ｃｍの平面視で長方形状に形成して構成されている。この第２硬質弾性支持体１１３は、第２底材１１４によって支持されている。
【００２３】
第２底材１１４は、前記第１底材１１２と同様に、第２硬質弾性支持体１１３の下に敷かれてこの第２硬質弾性支持体１１３を支持するための部品であり、ポリエステル繊維を板状に薄板状に形成した所謂固綿で構成されている。この第２底材１１４は、長手方向の長さが１３６ｃｍ、幅方向の長さが１００ｃｍ、厚さが２ｃｍの平面視で長方形状に形成して構成されている。
【００２４】
軟質弾性支持体１１５は、前記第１硬質弾性支持体１１１および第２硬質弾性支持体１１３と同様に、臥位の姿勢の使用者Ｕの肩部から上腕部までの範囲を支持するための部品であり、合成樹脂材料を発泡させて多孔質の板状に形成して構成されている。この場合、軟質弾性支持体１１５は、第１硬質弾性支持体１１１および第２硬質弾性支持体１１３よりも弾性変形し易い軟質に形成されている。本実施形態においては、軟質弾性支持体１１５は、発泡させた軟質ウレタン樹脂を長手方向の長さが３３ｃｍ、幅方向の長さが１００ｃｍ、厚さが６ｃｍの平面視で長方形状に形成して構成されている。
【００２５】
例えば、第１硬質弾性支持体１１１および第２硬質弾性支持体１１３は、各硬さが「ＪＩＳＫ６４００−２で定める２５％硬さ（Ｎ）」（元の厚さから２５％圧縮するために必要な荷重）において１００Ｎ〜１９０Ｎが好適である。また、軟質弾性支持体１１５は、同硬さが２０Ｎ〜８０Ｎが好適である。
【００２６】
また、この軟質弾性支持体１１５は、使用者Ｕを支持する面である上面が第１硬質弾性支持体１１１および第２硬質弾性支持体１１３における各上面よりも面全体が突出して形成されている。本実施形態においては、軟質弾性支持体１１５は、第１硬質弾性支持体１１１と第１底材１１２との合計の厚さおよび第２硬質弾性支持体１１３と第２底材１１４との合計の厚さよりも１ｃｍだけ厚く形成されている。
【００２７】
マットレスカバー１２０は、図３に示すように、マットレス１１０を覆う部品であり、化学繊維または天然繊維からなる生地を袋状に形成して構成されている。より具体的には、マットレスカバー１２０は、マットレス１１０の全体を出し入れ自在に収容するように、マットレス１１０の立体形状に対応して板状に延びる直方体状の外観に形成されている。このマットレスカバー１２０は、主として、軟質覆い部１２１および硬質覆い部１２２を備えて構成されている。
【００２８】
軟質覆い部１２１は、マットレス１１０における軟質弾性支持体１１５の上面を覆う部分であり、硬質覆い部１２２よりも伸縮性に富む生地で構成されている。この場合、軟質覆い部１２１を構成する生地としては、編物（ニット、径編（トリコット）、緯編、丸編など）、不織布またはメッシュ生地を用いることができる。また、軟質覆い部１２１は、生地自体が伸縮性を有しているほかに、生地自体は伸縮性を有していなくても伸縮性を有するように構成、例えば、タック、ギャザーまたはいせ込みなどの手法で折り重ねられたヒダ状に形成されていてもよい。本実施形態においては、軟質覆い部１２１は、メッシュ生地で構成されている。
【００２９】
また、伸縮性は、生地に引張り力を付与した際の弾性的な伸び易さを示しており、ＪＩＳ規格における織物及び編物の生地試験方法（Ａ法〜Ｄ法）で表すことができる。例えば、伸縮性を表す伸び率（％）は、所定の長さの生地に所定の間隔（Ｌ０）の２つの印を付けた後、同生地に所定の引張り荷重を付与して前記２つの印の間隔（Ｌ１）を測定して下記数１で求めることができる。
（数１）
伸び率（％）＝｛（Ｌ１−Ｌ０）／Ｌ０｝×１００
【００３０】
この軟質覆い部１２１は、軟質弾性支持体１１５の上面の全面を覆うことができる大きさに形成されるとともに、マットレスカバー１２０の長手方向の両端部であって幅方向に延びる両辺部分に設けられた縫い代を介して硬質覆い部１２２および連結部１２３にそれぞれ連結されている。本実施形態においては、軟質覆い部１２１は、縫い代部分の除いたマットレスカバー１２０の長手方向の長さが３３ｃｍ、幅方向の長さが１００ｃｍ、厚さが０．１ｃｍの平面視で長方形状に形成されている。また、軟質覆い部１２１は、硬質覆い部１２２に対して異なる色で構成されている。
【００３１】
硬質覆い部１２２は、マットレス１１０の外表面における軟質弾性支持体１１５の上面以外の外表面を覆う部分であり、軟質覆い部１２１よりも伸縮性に乏しい生地で構成されている。この場合、硬質覆い部１２２を構成する生地としては、織物（パイル生地、綿布生地、ジャガード生地など）、綿入りキルト生地を用いることができる。また、硬質覆い部１２２は、軟質覆い部１２１よりも伸縮性に乏しい生地であればよく、編物（ニット、Ｗラッセル、径編（トリコット）、緯編、丸編など）、不織布、Ｔ／Ｃ生地、メッシュ生地または毛皮を用いることもできる。この場合、硬質覆い部１２２は、軟質覆い部１２１よりも伸縮性が乏しい生地であればよいため、軟質覆い部１２１を構成する生地と伸縮性のみが異なる同種の生地で構成することもできる。
【００３２】
この硬質覆い部１２２は、マットレス１１０の外表面における軟質弾性支持体１１５の上面以外の外表面、具体的には、マットレス１１０の六面のうちの軟質弾性支持体１１５の上面以外の外表面にそれぞれ対向する面を有した袋状に形成されている。本実施形態においては、硬質覆い部１２２は、パイル生地を長手方向の長さが２００ｃｍ、幅方向の長さが１３６ｃｍ、厚さ（マチ）が５ｃｍの平面視で直方体状の袋状に形成されている。
【００３３】
連結部１２３は、軟質覆い部１２１と硬質覆い部１２２における軟質覆い部１２１に対向する下面側の硬質覆い部１２２とを互いに連結する部品であり、マットレスカバー１２０の幅方向に延びる帯状の布材で構成されている。すなわち、連結部１２３は、上端部が硬質覆い部１２２の端部を介して軟質覆い部１２１の端部に縫合されて連結されているとともに、下端部が硬質覆い部１２２の下面に縫合されて連結されている。本実施形態においては、連結部１２３は、軟質覆い部１２１に連結されて下垂する帯状の布材とこの布材に下垂した状態で連結されて硬質覆い部１２２に連結される帯状の布材とで構成されているが、一つの布材で構成されていれてもよいことは当然である。
【００３４】
この連結部１２３は、硬質覆い部１２２と同じ布材で構成されている。これにより、連結部１２３は、軟質覆い部１２１の位置ずれを防止することができる。また、連結部１２３は、軟質覆い部１２１におけるマットレスカバー１２０の長手方向の両端部にそれぞれ設けられている。これにより、連結部１２３は、軟質覆い部１２１を同軟質覆い部１２１に対向する硬質覆い部１２２に連結するとともに、マットレスカバー１２０の長手方向に互いに対向する２つの連結部１２３間に軟質弾性支持体１１５を収容する空間を形成している。
【００３５】
このマットレスカバー１２０には、長手方向に延びる４の辺のうちの１つに開口部１２４が設けられている。開口部１２４は、マットレスカバー１２０内に対してマットレス１１０を出し入れするための部分であり、ファスナーによって開閉自在に形成されている。なお、図３においては、軟質覆い部１２１、硬質覆い部１２２および連結部１２３は、各縫い代部分がそれぞれ縫合糸により密着して一体化しているが、各部分の構成を理解し易くするために各部を隙間を介して離して示している。
【００３６】
（寝具１００の作動）
次に、上記のように構成した寝具１００の作動について説明する。この寝具１００を使用して就寝する使用者Ｕは、寝具１００上に横になる。この場合、使用者Ｕは、マットレスカバー１２０における軟質覆い部１２１と硬質覆い部１２２とが互いに異なる色で構成されているため、軟質弾性支持体１１５の位置、すなわち、マットレス１１０上における自身の肩部および上腕部を位置させる位置を容易に把握することができる。
【００３７】
寝具１００は、図４および図５それぞれに示すように、使用者Ｕが仰臥または横臥の姿勢で横になった場合、使用者Ｕの肩甲骨付近、肩部または上腕部が押し付けられることによって軟質弾性支持体１１５が弾性的に圧縮変形するとともに、使用者Ｕの頭部および臀部から足部に掛けての下半身が押し付けられることによって第１硬質弾性支持体１１１および第２硬質弾性支持体１１３がそれぞれ弾性的に圧縮変形する。この場合、寝具１００は、マットレスカバー１２０における軟質覆い部１２１がこの軟質覆い部１２１の周囲に繋がった硬質覆い部１２２よりも伸縮性を有しているため、硬質覆い部１２２よりも積極的に伸長して軟質弾性支持体１１５の圧縮変形に追従する。これにより、寝具１００は、使用者Ｕに対して軟質弾性支持体１１５が圧縮変形した際における肩甲骨付近、肩部または上腕部に突っ張り感を与えることを抑制することができる。
【００３８】
また、寝具１００は、使用者Ｕの姿勢の変化に応じて軟質弾性支持体１１５が圧縮変形と膨張による復元とを繰り返した場合であって軟質覆い部１２１が柔軟に追従して使用者Ｕに突っ張り感を与えることを抑えることができる。そして、寝具１００は、使用者Ｕが寝具１００上から離脱した場合には、マットレス１１０の復元力によって元の形状に復帰する。
【００３９】
上記作動説明からも理解できるように、上記実施形態によれば、寝具１００は、マットレス１１０における軟質弾性支持体１１５の上面を覆うマットレスカバー１２０の軟質覆い部１２１が同軟質覆い部１２１の周囲を構成する生地よりも伸縮性に富む生地で構成されているため、軟質弾性支持体１１５上に身体の一部を載せた際に軟質覆い部１２１が伸長することでマットレスカバー１２０の突っ張り感を抑えてマットレス１１０の本来の使用感を発揮させることができる。
【００４０】
さらに、本発明の実施にあたっては、上記実施形態に限定されるものではなく、本発明の目的を逸脱しない限りにおいて種々の変更が可能である。
【００４１】
例えば、上記実施形態においては、マットレス１１０は、第１硬質弾性支持体１１１、第１底材１１２、第２硬質弾性支持体１１３、第２底材１１４および軟質弾性支持体１１５を備えて構成した。この場合、第１硬質弾性支持体１１１および第２硬質弾性支持体１１３が、本発明に係る硬質弾性体に相当する。しかし、マットレス１１０は、少なくとも１つずつの硬質弾性支持体および軟質弾性支持体を備えて構成されていればよい。したがって、マットレス１１０は、第１底材１１２および第２底材１１４を省略して構成してもよいし、弾性体を３層以上重ねて構成することもできる。
【００４２】
また、マットレス１１０は、軟質弾性支持体１１５の下方に第１底材１１２および第２底材１１４に相当する底材を設けて構成してもよいし、１つの硬質弾性支持体上に軟質弾性支持体１１５を載置してまたは嵌め込んで構成することもできる。また、マットレス１１０の大きさや形状も本実施形態に限定されるものではなく、使用者Ｕの大きさや人数、マットレス１１０の使用に応じて適宜設定されるものである。
【００４３】
また、上記実施形態においては、軟質弾性支持体１１５は、臥位姿勢の使用者Ｕの身体の肩部および上腕部を支持するように構成した。しかし、軟質弾性支持体１１５は、肩部および上腕部に代えてまたは加えて使用者Ｕの身体のその他の部分、例えば、臀部や足部を支持するようにしてもよい。この場合、軟質覆い部１２１は、軟質弾性支持体１１５に対応して形成することができる。
【００４４】
また、上記実施形態においては、軟質弾性支持体１１５は、第１硬質弾性支持体１１１および第２硬質弾性支持体１１３の上面よりも突出するように第１硬質弾性支持体１１１および第２硬質弾性支持体１１３よりも厚い厚さで形成した。しかし、軟質弾性支持体１１５は、第１硬質弾性支持体１１１および第２硬質弾性支持体１１３の上面と同じ上面となる面一で構成してもよいし、前記上面よりも低く形成することもできる。また、軟質弾性支持体１１５は、第１硬質弾性支持体１１１および第２硬質弾性支持体１１３の上面よりも部分的に突出する多数の突起を有する面で構成することもできる。なお、第１硬質弾性支持体１１１および第２硬質弾性支持体１１３は、上記実施形態においては同じ上面の高さに構成したが互いに異なる高さに形成することもできる。
【００４５】
また、上記実施形態においては、マットレスカバー１２０は、マットレス１１０の全体を覆う袋状に形成した。しかし、マットレスカバー１２０は、マットレス１１０における少なくとも使用者Ｕを支持する面、すなわち、上面を覆うように形成されていればよい。したがって、マットレスカバー１２０は、例えば、マットレス１１０の上面のみを覆う大きさの平面視で長方形状に形成することができる。この場合、マットレスカバー１２０は、四辺をマットレス１１０の側面に巻き込んでマットレス１１０の下面に挟み込むようにしてもよいし、マットレスカバー１２０の四隅にマットレス１１０の角部に引っ掛けるためのゴムバンドを設けて構成することもできる。
【００４６】
また、上記実施形態においては、軟質覆い部１２１は、硬質覆い部１２２とは異なる外観、肌触り（触感）および色で構成した。これにより、寝具１００は、使用者Ｕに対して軟質覆い部１２１および軟質弾性支持体１１５の位置を視覚または触覚で認識し易くことができる。しかし、軟質覆い部１２１は、硬質覆い部１２２と同じ外観、肌触り（触感）および色で構成することもできる。
【００４７】
また、上記実施形態においては、マットレスカバー１２０は、連結部１２３を備えて構成した。この場合、連結部１２３は、マットレスカバー１２０の幅方向に延びる２つの帯状の布材で構成した。しかし、連結部１２３は、軟質覆い部１２１に対して軟質弾性支持体１１５を介して対向する下面側の生地と軟質覆い部１２１とを互いに連結するように構成されていればよい。したがって、連結部１２３は、糸状や紐状に形成することができる。また、連結部１２３は、軟質覆い部１２１に対して軟質弾性支持体１１５を介して対向する下面側の生地と軟質覆い部１２１とを互いに連結する必要がない場合には省略することもできる。
【００４８】
また、上記実施形態においては、連結部１２３は、硬質覆い部１２２と同じ生地で構成した。これにより、連結部１２３は、軟質弾性支持体１１５に対向配置される軟質覆い部１２１が軟質弾性支持体１１５から位置ずれすることを防止することができる。しかし、連結部１２３は、軟質覆い部１２１と同じ生地、または軟質覆い部１２１および硬質覆い部１２２とは異なる生地で構成することもできる。
【符号の説明】
【００４９】
Ｕ…使用者、
１００…寝具、
１１０…マットレス、１１１…第１硬質弾性支持体、１１２…第１底材、１１３…第２硬質弾性支持体、１１４…第２底材、１１５…軟質弾性支持体、
１２０…マットレスカバー、１２１…軟質覆い部、１２２…硬質覆い部、１２３…連結部、１２４…開口部。
【図１】
2019103731.tif 000003
【図２】
2019103731.tif 000004
【図３】
2019103731.tif 000005
【図４】
2019103731.tif 000006
【図５】
2019103731.tif 000007